(57)【要約】      （修正有）【課題】鼻緒を有する草履等の履物を履用する際に生じる拇指及び食指の間のつけねの痛みを解消するための緩衝パッドを提供する。【解決手段】鼻緒を有する履物向けの緩衝パッド１であって、該履物の爪先面の上に置かれる面状の踏付け部２と、該踏付け部２の上面より立ち上り、鼻緒の外周全体をほぼ覆うように造形された筒状の鼻緒当て部４とが、ＪＩＳ−Ｋ６３０１に従うＪＩＳ  Ａ硬度が５°乃至１５°のジェルによって一体成型されてなる。【選択図】図１
0003182528.tif 000002
【実用新案登録請求の範囲】
【請求項１】
鼻緒を有する履物向けの緩衝パッドであって、該履物の爪先面の上に置かれる面状の踏付け部と、該踏付け部の上面より立ち上り、鼻緒の外周全体をほぼ覆うように造形された筒状の鼻緒当て部とが、ＪＩＳ−Ｋ６３０１に従うＪＩＳ  Ａ硬度が５°乃至１５°のジェルによって一体成型されてなる緩衝パッド。
【請求項２】
前記踏付け部は、前記爪先面の全体にわたって広がる、同爪先面の面積の半分以上の大面積を有する面状体からなる、請求項
１記載の緩衝パッド。
【請求項３】
前記踏付け部の上面には、識別図柄及び／又は飾り模様が賦形されてなる、請求項２記載の緩衝パッド。
【請求項４】
前記鼻緒当て部は、筒状体であって、鼻緒を包摂して収容するための筒内腔と、鼻緒を該筒内腔に差し入れるための、筒壁に長手方向に切り欠かれた鼻緒通し隙間とを有してなる、請求項１記載の緩衝パッド。
【請求項５】
前記筒状体は、その上面からその下端にかけて、壁厚が徐々に増大してなる請求項４記載の緩衝パッド。
【請求項６】
前記鼻緒当て部は、更に、互いに対面する二つの補強壁を、前記鼻緒通し隙間の開口縁より外方に延びて且つ前記踏付け部の上面と連なって形成してなる、請求項４又は請求項５記載の緩衝パッド。
【考案の詳細な説明】
【技術分野】
【０００１】
本考案は、鼻緒を有する草履等の履物を履用する際に生じる拇指と食指の間とのつけねの痛みを解消するための緩衝パッドに関する。
【背景技術】
【０００２】
近年、女性の間で和装が見直され、履物として草履や下駄等が多くの女性に履用されている。しかしながら、このような鼻緒を有する履物は、普段履き慣れている靴とは異なり、鼻緒を拇指及び食指の間のつけねに挟むことによって履用するものであるため、履用を続けると、鼻緒部が拇指及び食指の間のつけねにあたり続くことから、あたったつけね部分が痛くなり、時には赤く腫れて傷付くという問題がある。
このような問題を解決するものとして、本考案者は、透明もしくは半透明の柔軟な樹脂から成り、厚肉の略中空円柱形状をなす本体と、該本体の下部の外周面に沿って形成された、座りを良くする裾部と、前記本体の側部に長手方向に切り設けられた、鼻緒を前記本体の中空部に差し入れるための切込み部とを備えてなる指保護具を提案している（特許文献１）。
【先行技術文献】
【特許文献】
【０００３】
【特許文献１】特開２００６−１０２３１２号公報
【考案の開示】
【考案が解決しようとする課題】
【０００４】
しかし、特許文献１の指保護具は、略円筒形の樹脂体のみであって、それを、鼻緒を有する履物の鼻緒部に差入れ、そして履用の際、足の拇指と食指とで挟んだ状態で使用されるものであったため、おさまりが悪く、歩行中にずれ易いという問題があった。
また、該指保護具は爪先を保護する部分を備えないものであることから、草履等の履用の際、歩行時に加わる爪先への衝撃を緩和することができるものでなかった。
よって、特許文献１の指保護具は、履用の際、歩行時の位置ずれを防ぎ、爪先への衝撃を緩和するという点において、改善の余地が残るものであった。
本考案はこの点を改良すべくなされたものであって、鼻緒を有する履物の履用の際に鼻緒部があたる拇指と食指との間のつけねの痛み、及び、歩行時に加わる爪先への衝撃を緩和し、且つ位置ずれが起きにくい緩衝パッドを提供することを目的とするものである。
【課題を解決するための手段】
【０００５】
すなわち、本考案は、鼻緒を有する履物向けの緩衝パッドであって、該履物の爪先面の上に置かれる面状の踏付け部と、該踏付け部の上面より立ち上り、鼻緒の外周全体をほぼ覆うように造形された筒状の鼻緒当て部とが、ＪＩＳ−Ｋ６３０１に従うＪＩＳ  Ａ硬度が５°乃至１５°のジェルによって一体成型されてなる緩衝パッドに関する。
本考案の好ましい態様は、前記踏付け部は、前記爪先面の全体にわたって広がる、同爪先面の面積の半分以上の大面積を有する面状体からなる、前記緩衝パッドに関する。
本考案のより好ましい態様は、前記踏付け部の上面には、識別図柄及び／又は飾り模様が賦形されてなる、前記緩衝パッドに関する。
本考案の更に好ましい態様は、前記鼻緒当て部は、筒状体であって、鼻緒を包摂して収容するための筒内腔と、鼻緒を該筒内腔に差し入れるための、筒壁に長手方向に切り欠かれた鼻緒通し隙間とを有してなる、前記緩衝パッドに関する。
本考案の更により好ましい態様は、前記筒状体は、その上面からその下端にかけて、壁厚が徐々に増大してなる緩衝パッドに関する。
本考案の最も好ましい態様は、前記鼻緒当て部は、更に、互いに対面する二つの補強壁を、前記鼻緒通し隙間の開口縁より外方に延びて且つ前記踏付け部の上面と連なって形成してなる、前記緩衝パッドに関する。
【考案の効果】
【０００６】
本考案の緩衝パッドは、柔軟な樹脂から構成され、且つ鼻緒部を覆う筒状の鼻緒当て部を備えるものであるから、鼻緒を有する履物の鼻緒部に装着すると、拇指と食指との間のつけねにおける当りは格段に弱いものとなる。
そのため、本考案の緩衝パッドの使用により、鼻緒を有する履物を履用しても、拇指及び食指の間のつけねが痛くなり難いという効果が得られる。
また本考案の緩衝パッドは、面状の踏付け部を供えるものであるから、爪先への衝撃を緩和することができる。
そして該緩衝パッドは、上述のように鼻緒当て部及び踏付け部が一体成型されてなることにより、足裏、拇指及び食指で緩衝パッドを支持することができるから、履用の際、歩行時に緩衝パッドがずれにくいものである。
【図面の簡単な説明】
【０００７】
【図１】図１は本考案の実施例の右足用及び左足用の緩衝パッド１の斜視図である。
【図２】図２（ａ）は、本考案の実施例の右足用の緩衝パッド１の平面図であり、図２（ｂ）は、右足用の緩衝パッド１の正面図であり、図２（ｃ）は、右足用の緩衝パッド１の側面図であり、図２（ｄ）は、緩衝パッド１の図２（ａ）におけるＡ−Ａ’線断面図を示す。
【図３】図３（ａ）は、本考案の実施例の左足用の緩衝パッド１の平面図であり、図３（ｂ）は、左足用の緩衝パッド１の正面図であり、図３（ｃ）は、左足用の緩衝パッド１の側面図を示す。
【図４】図４は、実施例の緩衝パッド１の使用状態を示す図である。
【考案を実施するための形態】
【０００８】
以下、本考案を図面を参照にしてより具体的に説明する。
【実施例】
【０００９】
図１、図２（ａ）乃至図２（ｄ）及び図３（ａ）乃至図３（ｃ）に示されるように、本考案の緩衝パッド１は、鼻緒２１を有する履物２０の爪先面２２の上に置かれる面状の踏付け部２と、該踏付け部２の上面３より立ち上り、鼻緒２１の外周全体をほぼ覆うように造形された筒状の鼻緒当て部４とが一体成型されたものである。この緩衝パッド１はＪＩＳ−Ｋ６３０１に従うＪＩＳ  Ａ硬度が５°乃至１５°の軟質のジェルからなる。
そして、図４に示されるように、緩衝パッド１は、面状の踏付け部２が履物２０の爪先面２２の上に置かれ、筒状の鼻緒当て部４が鼻緒２１の外周全体をほぼ覆うように配置して使用される。
緩衝パッド１を鼻緒２１を有する履物２０に適用することにより、鼻緒２１の外周全体が軟質のジェルの鼻緒当て部４によって覆われ、それにより鼻緒２１を有する履物２０を履用した際に拇指１５と食指１６との間のつけね１７に対する鼻緒２１の当たりが弱くなり、つけね１７の痛みを緩和することができる。
また、つけね１７の痛みを防止するため、鼻緒２１がつけね１７に当たらないよう、鼻緒当て部４は８乃至２０ｍｍの高さｈを有し、鼻緒２１の外周全体を覆うことができるようにすることが好ましい。
また、緩衝パッド１は、上記軟質のジェルからなる面状の踏付け部２により、履物２０の歩行時に加わる爪先１８への衝撃を緩和することができる。
前記踏付け部２は、爪先１８のほぼ全体におさまって、歩行時に爪先１８全体において衝撃を緩和することができるようにするため、図４に示される通り前記爪先面２２の全体
にわたって広がる、同爪先面２２の面積の半分以上の大面積を有する面状体からなるものであることが好ましい。
また、緩衝パッド１は、鼻緒当て部４と面状の踏付け部２が一体成型されてなるものであるから、足裏１９、拇指１５及び食指１６で以って容易に緩衝パッド１を定位置にて支持することができ、よって履用の際、歩行時に緩衝パッド１の位置ずれが起きにくいものである。
前記踏付け部２の上面３には、凹凸を形成することにより図柄又は模様を賦形することができ、図柄又は模様の例としては、製造及び出荷工程で使用するロット又は個体識別用等の識別図柄、又はドット柄若しくは花柄等の装飾用の飾り模様等が挙げられる。
また、図１、図２（ａ）及び図３（ａ）に示される通り、前記鼻緒当て部４は筒状体５であって、鼻緒２１を包摂して収容するための筒内腔６と、鼻緒２１を該筒内腔６に差し入れるための、筒壁７に長手方向に切り欠かれた鼻緒通し隙間８とを有している。
このような構造により、緩衝パッド１は、鼻緒通し隙間８から筒内腔６まで鼻緒２１を差入れることにより、容易に鼻緒２１を有する履物２０に備えることができ、また反対向きに引き抜くことにより容易に履物２０から取外すことが可能である。
そして、図２（ｄ）に示される通り、前記筒状体５は、つけね１７においてより鼻緒２１の当たりが弱くなるよう、その上面９からつけね１７に近い下端１０にかけて筒壁７が徐々に増大した形状であることが好ましく、上面９における筒壁の厚さ７ａが０．８乃至３．０ｍｍ、下端１０における筒壁の厚さ７ｂが１．０乃至４．５ｍｍとなる範囲であることが望ましい。
また、図２（ｃ）、図２（ｄ）及び図３（ｃ）に示される通り、前記鼻緒当て部４は、更に、互いに対面する二つの補強壁１１が、前記鼻緒通し隙間８の開口縁１２より外方に延びて且つ前記踏付け部２の上面３と連なって形成されている。
二つの補強壁１１が筒状体５を支持することにより、筒状体５が変形しにくく筒内腔６から鼻緒２１が外れ出るのを防ぎ、歩行時における緩衝パッド１の位置ずれを一層しにくくすることができる。
また該補強壁１１は、前記鼻緒通し隙間８の開口縁１２より外方に延びて且つ前記踏付け部２の上面３と連なって形成されているので目立ちにくいものである。
【符号の説明】
【００１０】
１              緩衝パッド
２              踏付け部
３              上面
４              鼻緒当て部
５              筒状体
６              筒内腔
７              筒壁
７ａ、７ｂ      厚さ
８              鼻緒通し隙間
９              上面
１０            下端
１１            補強壁
１２            開口縁
２０            履物
２１            鼻緒
２２            爪先面
【図１】
0003182528.tif 000003
【図２】
0003182528.tif 000004
【図３】
0003182528.tif 000005
【図４】
0003182528.tif 000006